(57)【要約】【課題】  印刷媒体の背景として印刷された点画像群の不正読み取りによる当該点画像群により示される情報の漏洩を防止できるようにした画像形成装置および画像形成制御プログラムを提供する。【解決手段】  二次元コード情報を示す第一背景画像を第一背景画像生成部１０７で生成するとともに、その第一背景画像が印刷された印刷用紙複写若しくは画像解析した場合に、第一背景画像のドットの輪郭、大きさ、ドット間の相互関係を不明とすることで光学的に第一背景画像を遮蔽することが可能な第二背景画像を第二背景画像生成部１０８で生成する。そして、これらを合成処理部１０９で合成し、出力制御部１０４では、第一背景画像を黒色の印刷材料で、第二背景画像をＣＭＹ色を重ね合わせたプロセスブラックの印刷材料で印刷出力するように印刷出力部１０５に対して指示を行う。【選択図】図１
2010081191.tif 000002
【特許請求の範囲】
【請求項１】
所定の波長領域の反射光によって読み取りが可能な第１の色材を用いて形成され、所定の規則で配列された点画像群に対応する第１の画像データを生成する第１の画像データ生成手段と、
第２の色材を用いて形成され、前記点画像群に少なくとも一部が重なる第２の画像データを生成する第２の画像データ生成手段と、
前記第１の画像データ生成手段により形成された前記第１の画像データと前記第２の画像データ生成手段により形成された前記第２の画像データとを合成して画像形成する画像形成手段と
を具備する画像形成装置。
【請求項２】
前記第２の画像データ生成手段は、
前記点画像群に少なくとも一部が重なる複数の点画像に対応する第２の画像データを生成する請求項１記載の画像形成装置。
【請求項３】
前記第２の画像データ生成手段は、
前記点画像群に少なくとも一部が重なる複数の線画画像に対応する第２の画像データを生成する請求項１記載の画像形成装置。
【請求項４】
前記第１の色材は、
黒色の色材からなり、
前記第２の色材は、
黒以外の複数の色材からなる請求項１乃至３のいずれかに記載の画像形成装置。
【請求項５】
前記第２の色材は、
シアン色、マゼンタ色、イエロー色の色材を含む請求項１記載の画像形成装置。
【請求項６】
コンピュータを、
所定の波長領域の反射光によって読み取りが可能な第１の色材を用いて形成され、所定の規則で配列された点画像群に対応する第１の画像データを生成する第１の画像データ生成手段、
第２の色材を用いて形成され、前記点画像群に少なくとも一部が重なる第２の画像データを生成する第２の画像データ生成手段、
前記第１の画像データ生成手段により形成された前記第１の画像データと前記第２の画像データ生成手段により形成された前記第２の画像データとを合成して画像形成の制御を行う画像形成制御手段
として機能させる画像形成制御プログラム。
【発明の詳細な説明】
【技術分野】
【０００１】
本発明は、画像形成装置および画像形成制御プログラムに関する。
【背景技術】
【０００２】
公文書や秘密文書、契約書などの重要文書への文字等による情報の記入に際してディジタルペンと呼ばれる製品を用いることにより記入した情報を取得して管理することが可能な技術が公開されている。
【０００３】
このディジタルペンを用いて、印刷用紙の全面若しくは一部に印刷されたドット形状からなる隠し情報上に所定の文字等による情報を記入することで、その文字等の記載内容の情報や記載位置をディジタルペン内若しくは当該ディジタルペンから転送された情報記憶ストレージ等で管理することが可能となる。
【０００４】
すなわち、重要文書等に記載された情報が不正に改ざんされた場合にこれを検知することを可能とすることで不正を防止している。
【０００５】
特許文献１に開示された技術では、カード利用時のカード所有者本人を判断するためのデータを登録しておき、上記のようなディジタルペン（電子ペン）を用いてサインしたカード所有者本人を確認するための文字や情報と登録したデータとを比較することにより、カード所有者本人によるカード利用であるかを認証することを可能にしている。
【０００６】
また、特許文献２に開示された技術では、印刷用紙の面に印刷された当該媒体の面の位置を特定するためのアドレス情報と印刷用紙に印刷する電子文書とを対応付けておき、そのアドレス情報を変換して生成したコード画像とその電子文書とを印刷用紙に印刷出力することを可能としている。
【０００７】
すなわち、上記に示すようなドット形状からなるコード情報を文書に印刷する技術を示している。
【特許文献１】特開２００４−０３０２３５号公報
【特許文献２】特開２００６−２８５９０８号公報
【発明の開示】
【発明が解決しようとする課題】
【０００８】
本発明は、印刷媒体の背景として印刷された点画像群の不正読み取りによる当該点画像群により示される情報の漏洩を防止できるようにした画像形成装置および画像形成制御プログラムを提供することを目的とする。
【課題を解決するための手段】
【０００９】
上記目的を達成するため、請求項１の発明は、所定の波長領域の反射光によって読み取りが可能な第１の色材を用いて形成され、所定の規則で配列された点画像群に対応する第１の画像データを生成する第１の画像データ生成手段と、第２の色材を用いて形成され、前記点画像群に少なくとも一部が重なる第２の画像データを生成する第２の画像データ生成手段と、前記第１の画像データ生成手段により形成された前記第１の画像データと前記第２の画像データ生成手段により形成された前記第２の画像データとを合成して画像形成する画像形成手段とを具備する。
【００１０】
また、請求項２の発明は、請求項１の発明において、前記第２の画像データ生成手段は、前記点画像群に少なくとも一部が重なる複数の点画像に対応する第２の画像データを生成する。
【００１１】
また、請求項３の発明は、請求項１の発明において、前記第２の画像データ生成手段は、前記点画像群に少なくとも一部が重なる複数の細線画像に対応する第２の画像データを生成する。
【００１２】
また、請求項４の発明は、請求項１乃至３いずれかの発明において、前記第１の色材は、黒色の色材からなり、前記第２の色材は、黒以外の複数の色材からなる。
【００１３】
また、請求項５の発明は、請求項１の発明において、前記第２の色材は、シアン色、マゼンタ色、イエロー色の色材を含む。
【００１４】
また、請求項６の発明は、コンピュータを、所定の波長領域の反射光によって読み取りが可能な第１の色材を用いて形成され、所定の規則で配列された点画像群に対応する第１の画像データを生成する第１の画像データ生成手段、第２の色材を用いて形成され、前記点画像群に少なくとも一部が重なる第２の画像データを生成する第２の画像データ生成手段、前記第１の画像データ生成手段により形成された前記第１の画像データと前記第２の画像データ生成手段により形成された前記第２の画像データとを合成して画像形成の制御を行う画像形成制御手段として機能させる。
【発明の効果】
【００１５】
本発明の請求項１によれば、印刷媒体の背景として印刷された点画像群の不正読み取りによる当該点画像群により示される情報の漏洩を防止できるようになるという効果を奏する。
【００１６】
また、請求項２によれば、点画像群の不正な読み取りによる場合であっても第２の画像データによる第１の画像データの情報漏洩を防止することができるようになるという効果を奏する。
【００１７】
また、請求項３によれば、点画像群の不正な読み取りによる場合であっても第２の画像データによる第１の画像データの情報漏洩を防止することができるようになるという効果を奏する。
【００１８】
また、請求項４によれば、黒の色材による反射率と黒色以外の色材により生成した黒色と類似する色の反射率により情報漏洩を防止することができるようになるという効果を奏する。
【００１９】
また、請求項５によれば、シアン色、マゼンタ色、イエロー色の色材により作成される色により作成される第２の画像データを用いて第１の画像データが示す情報の漏洩を防止することができるようになるという効果を奏する。
【００２０】
また、請求項６によれば、印刷媒体の背景として印刷された点画像群の不正読み取りによる当該点画像群により示される情報の漏洩を防止できるようになるという効果を奏する。
【発明を実施するための最良の形態】
【００２１】
以下、本発明に係わる画像形成装置および画像形成制御プログラムの一実施例を添付図面を参照して詳細に説明する。
【実施例】
【００２２】
図１は、本発明の実施の形態における画像形成装置および画像形成制御プログラムを適用して構成した画像形成装置の構成図の一例である。
【００２３】
図１において、画像形成装置は、例えば印刷装置により構成され、ドット形状（点画像群）により表される二次元コード情報（「隠し情報」ともいう）を印刷用紙等の背景画像として印刷出力した帳票を生成する装置である。この画像形成装置では、シアン色（Ｃ）、マゼンタ色（Ｍ）、イエロー色（Ｙ）、ブラック色（Ｋ）の４つの印刷材料（色材）を用いて印刷出力を行う。
【００２４】
また、この画像形成装置は、ブラック色以外の他の印刷材料を適当な割合で重ね合わせることにより単色のブラック色に類似する色味を表現した「プロセスブラック」と呼ばれる色を生成することができる。この画像形成装置は、ユーザインターフェース部（Ｕ／Ｉ部）１０１、画像処理部１０２、通信部１０３、出力制御部１０４、印刷出力部１０５を具備して構成される。
【００２５】
操作ボタンや表示ディスプレイ等により構成されるユーザインターフェース部１０１を用いて帳票の生成操作を受け付けると、ユーザインターフェース部１０１は、画像処理部１０２に対して帳票の生成を指示する。この画像処理部１０２は、帳票文書画像処理部１０６、第一背景画像生成部１０７、第二背景画像生成部１０８、合成処理部１０９を具備して構成され、印刷出力部１０５から印刷出力される帳票の画像データを生成する。
【００２６】
画像処理部１０２では、ユーザインターフェース１０１から指定された帳票に対応した帳票文書画像に対する処理を帳票文書画像処理部１０６で行う。
【００２７】
この帳票文書画像処理部１０６では、例えば、帳票文書画像記憶部（図示せず）等の記憶領域に記憶する１または複数の帳票文書画像から、生成する帳票の帳票文書画像を検索・取得し、その帳票文書画像を印刷出力する印刷用紙等の印刷媒体の形状、サイズ等に成形する処理を行う。
【００２８】
さらに、ユーザインターフェース１０１から帳票印刷が指定されたこの画像処理部１０２では、第一背景画像生成部１０７および第二背景画像生成部１０８に対して背景画像の生成処理を要求する。
【００２９】
この第一背景画像生成部１０７は、任意の情報を表した二次元コード情報を生成する。なお、第二背景画像生成部１０８により生成される背景画像との違いを明確にするため、この二次元コード情報（隠し情報）を「第一背景画像」（第１の画像データ）と示す。この第一背景画像は、図２（ｂ）に示すような連続的または不連続的にマトリクス配置されたドット形状の画素によって表され、マトリックス上の所定の位置にあるドット間の配列（画素配列）により任意の情報を示し、画素配列画像データとも示す。この任意の情報として、例えば帳票そのものを識別する帳票識別情報であるほか、帳票上の位置情報などがある。
【００３０】
図２（ａ）は、第一背景画像と帳票文書画像のみを用いて印刷出力することにより作成された帳票の一例を示す図である。
【００３１】
なお、図２（ｂ）に示すようなマトリックスを形成する罫線は、上記に示すような任意の情報を読み取る際の指標・基準となる線であって、第一背景画像として印刷されるものではない。
【００３２】
この第一背景画像は、単色のブラック色によって印刷用紙等の印刷媒体上に印刷出力する。このブラック色は、赤外領域の読み取り感度を有する光学デバイスを用いて読み取ることができる。
【００３３】
また、第二背景画像生成部１０８は、第一背景画像生成部１０７により生成した第一背景画像と合成する「第二背景画像」（第２の画像データ）を生成する。
【００３４】
この第二背景画像は、第一背景画像のドット形状とは異なる連続的または不連続的にマトリクス配置されたドット形状若しくは線形状等により作成された背景画像データである。この第一背景画像が二次元コード情報によって任意の情報を表すのに対して、第二背景画像はランダムなドット形状によって構成され、第一背景画像が印刷された印刷用紙が複写若しくは画像解析した場合に、第一背景画像のドットの輪郭、大きさ、ドット間の相互関係を不明とすることで光学的に第一背景画像を遮蔽することが可能な画像である。
【００３５】
もちろん、この第二背景画像によって任意の情報を構成とすることも可能である。
【００３６】
この第二背景画像は、第一背景画像とは異なる印字材料のトナーにより印字される。すなわち、第一背景画像は単色のブラック色による印刷出力が指示されていることから、この第二背景画像は、シアン色、マゼンタ色、イエロー色の組合せ若しくはこれら３色の印刷材料を重ね合わせて作成されるプロセスブラックにより印刷出力することを指示する。前者の場合の例を図３（ｂ）に示し、後者の場合の例を図４（ｂ）に示し、以下で説明する。
【００３７】
第一背景画像生成部１０７、第二背景画像生成部１０８によりそれぞれ第一背景画像、第二背景画像が生成されると、これらを合成処理部１０９へと送出する。合成処理部１０９は、第一背景画像生成部１０７から送出された第一背景画像および第二背景画像生成部１０８から送出された第二背景画像を合成し、さらに帳票文書画像処理部１０６から送出された帳票文書画像をさらに合成する処理を行う。
【００３８】
この合成処理後、合成処理部１０９は、これらを合成して生成した画像データを出力制御部１０４へと送出する。
【００３９】
出力制御部１０４では、印刷出力部１０５に対して、単色のブラック色を用いて第一背景画像の印刷出力を行うこと、および、シアン色、マゼンタ色、イエロー色の組合せ若しくはこれら３色の印刷材料を重ね合わせて作成されるプロセスブラックを用いて第二背景画像の印刷出力を行うことを指示する。なお、帳票文書画像の印刷出力に用いる印刷材料はいずれの印刷材料であってもよく、またそれらを組合せて印刷出力するような構成であってもよい。
【００４０】
この印刷出力部１０５では、合成処理部１０９で第一背景画像、第二背景画像および帳票文書画像が合成された画像データを出力制御部１０４により印刷指示された印刷材料を用いて印刷出力することにより帳票を生成する。
【００４１】
このようにして生成された帳票を構成する一部を図３（ｃ）、図４（ｃ）、図５（ｃ）に示す。
【００４２】
図３および図４および図５は、本発明の実施の形態における画像形成装置により印刷出力される第一背景画像、第二背景画像およびこれらを合成した合成画像を示すとともに、その合成画像を複写若しくは画像解析された場合の状態を示す図である。
【００４３】
図３において、図３（ａ）は、第一背景画像を示す二次元コード情報の一例であってその一部分を示している。図３（ｂ）は、上記するようにシアン色、マゼンタ色、イエロー色の組合せにより作成した第二背景画像を示す図であり、図３（ｃ）は、図３（ａ）に示す第一背景画像と図３（ｂ）に示す第二背景画像とをシアン色、マゼンタ色、イエロー色の背景画像と一部若しくは全てが重なるように合成して作成した合成画像を示す図であり、図３（ｄ）は、図３（ｃ）に示す合成画像が印刷された印刷用紙を複写若しくは画像解析した場合の状態を示す。
【００４４】
図３（ｄ）に示す図では、図３（ａ）に示す第一背景画像と比べてそのドット形状がくずれ、さらにドットの大きさ、ドット間の相対位置が不明となっている。
【００４５】
次に、図４において、図４（ａ）は、第一背景画像を示す二次元コード情報の一例であってその一部分を示している。図４（ｂ）は、ドット形状が図４（ａ）に示す第一背景画像とは異なる形状からなる第二背景画像を示す図であり、具体的には第一背景画像のドットと略同一の大きさ、またはより大きな形状のドットであって、ランダムに配置された状態を示している。
【００４６】
図４（ｃ）は、図４（ａ）に示す第一背景画像と図４（ｂ）に示す第二背景画像とを合成した合成画像を示す図であって、図４（ｄ）は、図４（ｃ）に示す合成画像が印刷された印刷用紙を複写若しくは画像解析した場合の状態を示す。
【００４７】
図４（ｄ）に示す図では、ドット形状の識別が不可能な状態となっている。
【００４８】
図５において、図５（ａ）は、第一背景画像を示す二次元コード情報の一例であってその一部分を示している。図５（ｂ）は、線画によって構成される第二背景画像を示す図であり、図５（ｃ）は、図５（ａ）に示す第一背景画像と図５（ｂ）に示す第二背景画像とを合成した合成画像を示す図であり、図５（ｄ）は、図５（ｃ）に示す合成画像が印刷された印刷要旨を複写若しくは画像解析した場合の状態を示す。
【００４９】
図５（ｄ）に示す図では、第一背景画像の一部が第二背景画像により隠れた状態となり第一背景画像全体を認識することができない状態であることから、ドット形状の相互位置関係が不明となる。
【００５０】
図６は、本発明の実施の形態における画像形成装置により行われる処理の流れを示すフローチャートを示す図である。
【００５１】
図６において、帳票の生成が指示されると処理が開始され、生成する帳票文書画像をディジタル画像として描画するレンダリング処理を行う（６０１）。続いて、二次元コード情報を第一背景画像として構成することが指示されているかを判断し（６０２）、指示されていない場合（６０２）には、レンダリング処理した帳票背景画像のディジタル画像をページメモリに格納する（６０３）。
【００５２】
それに対して、二次元コード情報を第一背景画像として構成することが指示されている場合（６０２でＹＥＳ）には、第一背景画像と当該第一背景画像を印刷出力する印刷用紙等の印刷媒体の形状、サイズ等の情報を読み込む処理を行う（６０４）。
【００５３】
続いて、第一背景画像を、印刷出力する印刷用紙等の印刷媒体の形状、サイズ等に成形し（６０５）、成形後の第一背景画像をレンダリング処理する（６０６）。
【００５４】
さらに、偽造防止を施すか否かが指示されているかを判断し（６０７）、偽造防止を施すことが指定されていない場合（６０７でＮＯ）には、レンダリング処理した帳票文書画像と第一背景画像のディジタル画像をページメモリに格納して合成処理を行う（６０８）。
【００５５】
それに対して、偽装防止を施すことが指定されている場合（６０７でＹＥＳ）には、第二背景画像の形状に関する情報および像密度を読み込む（６０９）。この第二背景画像の形状に関する情報とは、図３（ｂ）若しくは図４（ｂ）若しくは図５（ｂ）のいずれかを識別し、識別した第二背景画像の形状を示す情報である。例えば、図３（ｂ）に示す第二背景画像を用いる場合、この第二背景画像の形状に関する情報として、シアン色、マゼンタ色、イエロー色の組合せである。
【００５６】
また、像密度は第二背景画像が印刷用紙全体に占める密度を示している。
【００５７】
続いて、この第二背景画像をレンダリング処理し（６１０）、レンダリング処理後の帳票文書画像、第一背景画像、第二背景画像をページメモリに格納して合成する（６１１）。
【００５８】
上記の処理によりページメモリに格納された画像データを印刷出力部へと送出することで第一背景画像を単色のブラック色によって印刷出力し、第二背景画像を単色のブラック以外の印刷材料（色材）、例えばプロセスブラックによって印刷出力する（６１２）。
【００５９】
図７は、格子上に配設した罫線の交差地点（格子点）が所定数、含まれる範囲を情報埋め込みの最小単位（ビットパターン）とし、その交差地点に配置するドット数およびドットの配置箇所により任意の情報を表す二次元コード情報の例である。
【００６０】
図７には、交差地点が９つ含まれる範囲を最小単位のビットパターンとした例を示し、各ビットパターン内には３つのドットが付されている例を示している。この場合、１つのビットパターン内で８４通りの組合せによる任意の情報を示すことができる。
【００６１】
図７（ａ）は、ビットパターンにより第一背景画像を示す例であって、４つのビットパターンを示している。
【００６２】
１つ目のビットパターンは１行目のＡ列目から３行目のＣ列目までの９つの交差地点を含む領域で表され、２つ目のビットパターンは、１行目のＤ列目から３行目のＦ列目までの９つの交差地点を含む領域で表される。また、３つ目のビットパターンは４行目のＡ列目から６行目のＣ列目までの９つの交差地点を含む領域で表され、４つ目のビットパターンは、４行目のＤ列目から６行目のＦ列目までの９つの交差地点を含む領域で表される。
【００６３】
１つ目のビットパターンでは、ドットが１行目のＡ列と、１行目のＢ列と、２行目のＡ列の３箇所に示されており、２つ目のビットパターンでは、ドットが１行目のＤ列と、２行目のＤ列と、２行目のＥ列の３箇所に示されている。また、３つ目のビットパターンでは、ドットが４行目のＡ列と、４行目のＢ列と、５行目のＢ列の３箇所に示されており、４つ目のビットパターンでは、ドットが４行目のＤ列と、４行目のＥ列と、５行目のＥ列の３箇所に示されている。
【００６４】
これに対して、図７（ｂ）は、第一背景画像に第二背景画像を合成して作成した合成画像を示す図である。
【００６５】
すなわち、１つ目のビットパターンでは、１行目のＣ列目、２行目のＢ列目、２行目のＣ列目にあるドットが第二背景画像を示すドットであり、１つ目のビットパターンでは、１行目のＥ列目、１行目のＦ列目、２行目のＦ列目にあるドットが第二背景画像を示すドットである。また、３つ目のビットパターンでは、５行目のＡ列目、６行目のＡ列目、６行目のＢ列目にあるドットが第二背景画像を示すドットであり、４つ目のビットパターンでは、５行目のＤ列目、６行目のＤ列目、６行目のＥ列目にあるドットが第二背景画像を示すドットである。
【００６６】
図７（ｂ）に示す図では、第一背景画像のドットとは異なる交差地点に第二背景画像のドットを示すことで、第一背景画像と第二背景画像が合成された図７（ｂ）に示すような合成画像が印刷された印刷用紙を複写若しくは画像解析した場合でも第一背景画像を光学的に遮蔽する。
【００６７】
図７（ｂ）に示す第二背景画像は、マゼンタ色、シアン色、イエロー色の色材を重ね合わせて作成されるドットであって、図７（ｂ）に示す例では、マゼンタ色の上にシアン色を重ね合わせ、さらにそのシアン色の上にイエロー色を重ね合わせた例を示している。
【００６８】
なお、本発明は、通信機能を備えた印刷システムで上述の動作を実行させ、あるいは上述の手段を構成させるためのプログラムを格納した記録媒体（ＣＤ−ＲＯＭ、ＤＶＤ−ＲＯＭ等）から該プログラムをコンピュータにインストールし、これを実行させることにより、上述の処理を実行する印刷システムを構成することも可能である。印刷システムを構成するコンピュータは、システムバスを介してＣＰＵ（Central Processor Unit）、ＲＯＭ（Read Only Memory）、ＲＡＭ（Random Access Memory）、ハードディスクが接続されている。ＣＰＵは、ＲＯＭまたはハードディスクに記憶されているプログラムに従い、ＲＡＭを作業領域にして処理を行う。
【００６９】
また、プログラムを供給するための媒体は、通信媒体（通信回線、通信システムのように一時的または流動的にプログラムを保持する媒体）でもよい。例えば、通信ネットワークの電子掲示板（ＢＢＳ：Bulletin Board Service）に該プログラムを掲示し、これを通信回線を介して配信するようにしてもよい。
【００７０】
本発明は、上記し、且つ図面に示す実施例に限定することなく、その要旨を変更しない範囲内で適宜変形して実施できるものである。
【図面の簡単な説明】
【００７１】
【図１】本発明の実施の形態における画像形成装置および画像形成制御プログラムを適用して構成した画像形成装置の構成図の一例。
【図２】二次元コード情報である第一背景画像の一例を示す図。
【図３】本発明の実施の形態における画像形成装置により印刷出力される第一背景画像、第二背景画像およびこれらを合成した合成画像を示すとともに、その合成画像を複写若しくは画像解析された場合の状態を示す図。
【図４】本発明の実施の形態における画像形成装置により印刷出力される第一背景画像、第二背景画像およびこれらを合成した合成画像を示すとともに、その合成画像を複写若しくは画像解析された場合の状態を示す図。
【図５】本発明の実施の形態における画像形成装置により印刷出力される第一背景画像、第二背景画像およびこれらを合成した合成画像を示すとともに、その合成画像を複写若しくは画像解析された場合の状態を示す図。
【図６】本発明の実施の形態における画像形成装置により行われる処理の流れを示すフローチャートを示す図。
【図７】交差地点が９つ含まれる範囲を最小単位のビットパターンとした例を示し、各ビットパターン内には３つのドットが付されている例を示す図。
【符号の説明】
【００７２】
１０１      ユーザインターフェース部（Ｕ／Ｉ部）
１０２      画像処理部
１０３      通信部
１０４      出力制御部
１０５      印刷出力部
１０６      帳票文書画像処理部
１０７      第一背景画像生成部
１０８      第二背景画像生成部
１０９      合成処理部
【図１】
2010081191.tif 000003
【図２】
2010081191.tif 000004
【図３】
2010081191.tif 000005
【図４】
2010081191.tif 000006
【図５】
2010081191.tif 000007
【図６】
2010081191.tif 000008
【図７】
2010081191.tif 000009